(57)【要約】【課題】ロックアームとディスクガイド部材の係止が外れることによるロックアームの脱落を防止する光ディスク装置を提供すること。【解決手段】光ディスクを挿入するための開口部を備えるメインシャーシと、前記メインシャーシの上部を覆うカバーシャーシと、前記カバーシャーシに取り付けられ、挿入された光ディスクをガイドするディスクガイド部材と、前記ディスクガイド部材によってガイドされた光ディスクをディスク読取位置まで移動させる回動アームと、一端が前記ディスクガイド部材に設けられた切欠部に係止されることで回動可能に支持され、他端が前記回動アームに設けられたガイド溝に挿入されることによって前記回動アームを回動自在に支持するロックアームと、を備える光ディスク装置であって、前記ディスクガイド部材の前記切欠部の一部に肉盛部が形成されていることとする。【選択図】図１
2012234588.tif 000002
【特許請求の範囲】
【請求項１】
光ディスクを挿入するための開口部を備えるメインシャーシと、
前記メインシャーシの上部を覆うカバーシャーシと、
前記カバーシャーシに取り付けられ、挿入された光ディスクをガイドするディスクガイド部材と、
前記ディスクガイド部材によってガイドされた光ディスクをディスク読取位置まで移動させる回動アームと、
一端が前記ディスクガイド部材に設けられた切欠部に係止されることで回動可能に支持され、他端が前記回動アームに設けられたガイド溝に挿入されることによって前記回動アームを回動自在に支持するロックアームと、
を備える光ディスク装置であって、
前記ディスクガイド部材の前記切欠部の一部に肉盛部が形成されていることを特徴とする光ディスク装置。
【請求項２】
前記肉盛部は前記ディスクガイド部材の前記切欠部の角部に形成されていることを特徴とする請求項１に記載の光ディスク装置。
【請求項３】
前記肉盛部は前記切欠部の外側に向かって突出して形成されていることを特徴とする請求項２に記載の光ディスク装置。
【請求項４】
前記ロックアームは前記ディスクガイド部材の前記切欠部に係止されるシャフトを備え、該シャフトの先端部には樹脂部材が取り付けられていることを特徴とする請求項１〜請求項３のいずれか１項に記載の光ディスク装置。
【発明の詳細な説明】
【技術分野】
【０００１】
本発明はＣＤ、ＤＶＤなどの光ディスク装置に関し、特に光ディスク装置からディスクレバーが脱落することを防止できるように改良した光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出して情報の再生を行っている。
【０００３】
従来から光ディスク装置として光ディスクをそのまま搬入するスロットインタイプのものがある。このような光ディスク装置では光ディスクが挿入されるディスク挿入口の近傍に搬送ローラとディスクガイド部材が設けられており、挿入された光ディスクはディスクガイド部材にガイドされながら搬送ローラによって搬送される。
【０００４】
また、従来の光ディスク装置は光ディスクの移動に伴って回動することによって光ディスクの位置を規制する回動アームが備えられており、搬送ローラによって搬送される光ディスクをディスク読取位置まで移動させる。
【０００５】
回動アームは当該回動アームに設けられた溝部にロックアームの一端が挿入されることによって回動自在に支持されており、一方、ロックアームはロックアームの他端とディスクガイド部材が係止されることによって支持されている。
【０００６】
ところで従来の光ディスク装置においては落下等によって光ディスク装置に衝撃が加わったときにロックアームとディスクガイド部材の係止が外れてしまい光ディスク装置としての機能を失うことがあった。
【０００７】
特許文献１に記載されているディスクローディング装置には、フラップ１の左右端近傍の下面側（ディスク側）で、ディスク再生時にディスクの外周縁部近傍となる所定の部位（ディスクが面振れディスクであったときに、該ディスクの再生時にその外周縁部と干渉する部分）を削除することが開示されている。これによって、面振れディスクを再生してもフラップ１に干渉することがないこととしている。
【０００８】
特許文献２に記載されている光ディスク装置には、フラップ部４２（ディスクガイド部材）の光ディスクＤｓが摺動する面にフラップ部４２の中心線から遠ざかることで光ディスクＤｓに近づく勾配を有するテーパ状のリブ４２２が立設されていることが開示されている。これによって光ディスクＤｓの排出時における光ディスクＤｓの揺れを抑えることができることとしている。
【先行技術文献】
【特許文献】
【０００９】
【特許文献１】特開２００６−３５１０７８号公報
【特許文献２】特開２００７−２０７３７１号公報
【発明の概要】
【発明が解決しようとする課題】
【００１０】
しかしながら、上記特許文献１に記載されているディスクローディング装置及び上記特許文献２に記載されている光ディスク装置はロックアームとディスクガイド部材の係止が外れないようにする構成についてはなんら開示されていない。
【００１１】
本発明は上述した問題点に鑑み、ロックアームとディスクガイド部材の係止が外れることによるロックアームの脱落を防止する光ディスク装置を提供することを目的とする。
【課題を解決するための手段】
【００１２】
上記目的を達成するために本発明の光ディスク装置は、光ディスクを挿入するための開口部を備えるメインシャーシと、前記メインシャーシの上部を覆うカバーシャーシと、前記カバーシャーシに取り付けられ、挿入された光ディスクをガイドするディスクガイド部材と、前記ディスクガイド部材によってガイドされた光ディスクをディスク読取位置まで移動させる回動アームと、一端が前記ディスクガイド部材に設けられた切欠部に係止されることで回動可能に支持され、他端が前記回動アームに設けられたガイド溝に挿入されることによって前記回動アームを回動自在に支持するロックアームと、を備える光ディスク装置であって、前記ディスクガイド部材の前記切欠部の一部に肉盛部が形成されていることを特徴としている。
【００１３】
この構成によれば、ロックアームの端部が係止されるディスクガイド部材の切欠部の一部に肉盛部が形成されており、ロックアームが回動可能領域を超えて回動しようとしたときに当該肉盛部に接触してロックアームが回動可能領域を超えて回動しない。これによって、ロックアームとディスクガイド部材の係止が外れることによるロックアームの脱落を防止することができる。
【００１４】
また上記構成の光ディスク装置において、前記肉盛部は前記ディスクガイド部材の前記切欠部の角部に形成されていることが望ましい。
【００１５】
この構成によれば、肉盛部が切欠部の角部に形成されているので、ロックアームの回動可能領域を確保しつつ（ロックアームの回動可能領域を過度に限定することがなく）、ロックアームとディスクガイド部材の係止が外れることによるロックアームの脱落を防止することができる。
【００１６】
また上記構成の光ディスク装置において、前記肉盛部は前記切欠部の外側に向かって突出して形成されていることが望ましい。
【００１７】
この構成によれば、肉盛部が切欠部の角部に、切欠部の外側に向かって突出するように形成されているので、ロックアームの回動可能領域を確保しつつ（ロックアームの回動可能領域を過度に限定することがなく）、ロックアームとディスクガイド部材の係止が外れることによるロックアームの脱落を防止することができる。
【００１８】
また上記構成の光ディスク装置において、前記ロックアームは前記ディスクガイド部材の前記切欠部に係止されるシャフトを備え、該シャフトの先端部には樹脂部材が取り付けられていることが望ましい。
【００１９】
この構成によれば、光ディスクの挿入時及び排出時において光ディスク装置に力が加わったときにロックアームが共振しないので騒音の発生を防止することができる。
【発明の効果】
【００２０】
本発明によれば、ディスクガイド部材に肉盛部が形成されていることによってロックアームとディスクガイド部材の係止が外れないのでロックアームの脱落を防止することができる。
【図面の簡単な説明】
【００２１】
【図１】は、本発明の光ディスク装置の一実施形態の構造を示す図である。
【図２】は、本発明の光ディスク装置が備えるロックアームの全体構成を示す斜視図である。
【図３】は、本発明の光ディスク装置が備えるディスクガイド部材の全体構成を示す斜視図である。
【発明を実施するための形態】
【００２２】
以下に本発明の光ディスク装置について図面を参照して説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２３】
なお、以下の説明において、「前後」は、ディスクの挿入方向に平行な方向であって、挿入方向手前側が「前」、挿入方向奥側が「後」であることする。また、「上下」は、光ディスク装置に挿入される光ディスクのレーベル面側（文字や画像等の印刷面）が「上」、記録面側が「下」であることとする。また、「左右」は、光ディスクのレーベル面を上としたときに光ディスク装置に正対する観察者の左手側が「左」、右手側が「右」であることとする。
【００２４】
図１は、本発明の光ディスク装置の一実施形態の構造を示す図である。光ディスク装置５０は前面に光ディスクＤｓが挿入されるディスク挿入口５１ａを備えるメインシャーシ５１とメインシャーシ５１に昇降可能に取り付けられた昇降シャーシ（図示せず）と、メインシャーシの上部を覆うように設けられたカバーシャーシ５３と、ディスクガイド部材５５とを備えている。
【００２５】
メインシャーシ５１は、樹脂の一体成型品であり、平面視長方形状の函体である。メインシャーシ５１は、上述したディスク挿入口５１ａと、ネジ止め用のネジ止めリブ５１ｂと、ディスク挿入口５１ａの内部側に配置され、光ディスクＤｓを搬送する搬送ローラ（図示せず）を有する。ネジ止めリブ５１ｂにはカバーシャーシ５３をネジ止めするネジＢｔが螺合される雌ネジ穴が形成されている。
【００２６】
本実施形態の光ディスク装置５０においてネジ止めリブ５１ｂはカバーシャーシ５１の前端角部近傍に２個、後端角部近傍に２個、後端略中央部に１個形成されているが、それに限定されるものではなく、カバーシャーシ５３を確実に固定することができる個数及び場所のものを広く採用することができる。但し、少なくとも、カバーシャーシ５１の前端角部近傍に２個以上、後端角部近傍に１個以上形成されていることが望ましい。
【００２７】
昇降シャーシは光ディスクＤｓが所定の位置に搬送されてきたときに光ディスクＤｓを持ち上げるために上昇し、光ディスクＤｓが搬出されるときに下降する。昇降シャーシには、光ディスクＤｓを下から保持し、回転駆動するディスク駆動機構と、光ディスクＤｓに記録または再生用の光を照射する光ピックアップとを備えている（いずれも図示せず）。
【００２８】
カバーシャーシ５３は、樹脂の一体成型で形成されるものである。カバーシャーシ５３には、上面後部側で後述するガイドプレート４０が露出するように開口した開口部５３ａと、メインシャーシ５１のネジ止め用のネジ止めリブ５１に対応するようにネジＢｔが貫通する貫通孔５３ｂとが形成されており、メインシャーシ５１の上部を覆うようにネジＢｔによって固定される。
【００２９】
カバーシャーシ５３の下面側（光ディスク装置５０本体内側）且つ前側にはディスクガイド部材５５が取り付けられており、ディスク挿入口５１ａから挿入された光ディスクＤｓは当該ディスクガイド部材５５によって搬送ローラと接触するように導かれながら移動する。
【００３０】
さらに、カバーシャーシ５３には板金製のガイドプレート４０と回動軸５６ａを有する板金製のロックアーム５６と回動軸５７ａを有する板金製の回動アーム５７が取り付けられている。ガイドプレート４０にはディスク挿入口５１ａから挿入された光ディスクＤｓに押されて長穴形状のガイドスリット４４をスライドするスライド部４６が取り付けられている。スライド部４６は回動アーム５７の一端に形成されたガイド溝５７ｃに挿嵌されてガイドスリット４４をスライドするものである。
【００３１】
回動アーム５７は回転軸５７ａを中心に回動することが可能な構成とされているが、後述するようにロックアーム５６によって所定の角度範囲まで回動可能となるように支持されている。よって、光ディスクＤｓが挿入されてスライド部４６がガイドスリット４４をスライドすると共に回動アーム５７が回動したときに、回動アームが所定の角度まで回動するとロックアーム５６によって回動アーム５７の回動が停止され、これに伴いスライド部４６のスライドも停止される。これによって光ディスクＤｓをディスク読取位置まで移動させることができる。
【００３２】
また、カバーシャーシ４には、回動可能に支持されたクランパ５４が備えられている。クランパ５４は、昇降シャーシの上昇によってターンテーブル（図示せず）に持ち上げられた光ディスクＤｓをターンテーブルとで挟持する。
【００３３】
これにより、光ディスクＤｓはターンテーブルとクランパ５４にて、他の部材と接触しないように支持されている。この状態で光ディスクＤｓを高速回転させ、光ピックアップより光を照射して光ディスクＤｓに情報を記録したり、光ディスクＤｓに記録されている情報を再生したりすることができる。
【００３４】
図２は本実施形態の光ディスク装置が備えるロックアームの全体構成を示す斜視図である。図２に示すようにロックアーム５６は回動軸５６ｂを有してカバーシャーシ５３に取り付けられている。ロックアーム５６において回動軸５６ｂの近傍にはフック部５６ｅが設けられ、当該フック部５６ｅと図１に示すようにガイドプレート４０を切り起こして形成されたフック部５３ｅとを接続するコイルバネ５９の伸び縮みによる弾性力を利用して、ロックアーム５６は回動軸５６ａを中心に回動することが可能な構成とされている。
【００３５】
ロックアーム５６の両端にはシャフト５６ｂ、５６ｃが形成されている。シャフト５６ｂは回動アーム５７のガイド溝５７ｂに挿入されて、回動アーム５７を回動軸５７ａを中心として所定の角度範囲まで回動可能に支持している。一方、シャフト５６ｃはディスクガイド部材５５に形成された切欠部（詳細は後述）に係止されており、これによってロックアーム５６はディスクガイド部材５５によって回動可能に支持されている。
【００３６】
なお、従来においてはロックアーム５６の上部にゴム等の弾性部材が取り付けられており、当該弾性部材によって光ディスクの挿入時及び排出時において光ディスク装置５０に力が加わったときにロックアーム５６が共振して騒音が発生するのを防いでいたが、近年の装置自体の薄型化の要請からロックアーム５６の上部にゴム等の弾性部材を取り付けないことが望まれる。一方、単に弾性部材を取り除くと、上述のような騒音が発生することになる。
【００３７】
そこで、図２においてシャフト５６ｃはその先端部に樹脂部材５６ｄが取り付けられている。これによって光ディスクの挿入時及び排出時において光ディスク装置５０に力が加わったときにロックアーム５６が共振して騒音が発生するのを防ぐことができる。
【００３８】
本実施形態ではディスクガイド部材５５に形成された切欠部に係止するシャフト５６ｃの先端部に樹脂部材５６ｄが取り付けられているが、シャフト５６ｂの先端部に取り付けることとしてもよいし、シャフト５６ｂ及び５６ｃに共に取り付けることとしてもよい。また、本実施形態では樹脂部材としているが、弾性部材を取り付けることとしてもよい。
【００３９】
図３は本実施形態の光ディスク装置が備えるディスクガイド部材の全体構成を示す斜視図である。ディスクガイド部材５５は矩形の板状の部材である。
【００４０】
ディスクガイド部材５５は上述したように光ディスク挿入口５１ａから挿入された光ディスクＤｓを搬送ローラと接触するようにガイドする（導く）ものである。そして図３に示すようにディスクガイド部材５５の光ディスク接触面５５ｅは光ディスクＤｓの挿入口５１ａ（図中の方向Ｐは光ディスクＤｓの挿入方向）に向かって傾斜して形成されており、光ディスクＤｓが挿入されるにつれて光ディスクＤｓの位置が規制される構造となっている。
【００４１】
なお、ディスクガイド部材５５の光ディスク接触面５５ｅは鏡面仕上げにて形成されており、光ディスクＤｓが接触したときに光ディスクＤｓを円滑に搬送ローラ側にガイドすることができる。
【００４２】
ディスクガイド部材５５の側端部の一方の略中央部にはディスクガイド部材５５が凹形状に切り欠かれた切欠部５５ａが形成されている。この切欠部５５ａにはロックアーム５６のシャフト（図２におけるシャフト５６ｃ）が係止される。
【００４３】
なお、ディスクガイド部材５５はカバーシャーシ５３の下面とディスクガイド部材５５の取付面５５ｆが接触してディスクガイド部材５５に設けられた孔５５ｇ、５５ｈ、５５ｉとこれに対応するようにカバーシャーシ５３に設けられた孔（図示せず）にビスを挿入してカバーシャーシ５３に取り付けられている（固定されている）ので、ロックアーム５６のシャフト５６ｃは取付面５５ｆ側からディスクガイド部材５５の切欠部５５ａに嵌められ係止される。
【００４４】
すなわち、ディスクガイド部材５５はカバーシャーシ５３に取り付けられるときにおいて光ディスク接触面５５ｅが下方を向くように取り付けられているので、本実施形態において切欠部５５ａは、カバーシャーシ５３に取り付けられた状態において左側端部が略中央部に形成されている。
【００４５】
そして切欠部５５ａの角部５５ｂには切欠部５５ａの外側に向かって肉盛りされた（突出した）肉盛部６０がディスクガイド部材５５と一体に形成されている。そして、ロックアーム５６が回動軸５６ａを中心に回動した際にシャフト５６ｃが肉盛部６０に接触してロックアーム５６の回動が停止される。これにより、ロックアーム５６が回動可能領域を超えて回動することによってロックアーム５６とディスクガイド部材５５の係止が外れることによるロックアーム５６の脱落を防止することができる。
【００４６】
なお、肉盛部６０の厚みは特に限定されるものではなく、ロックアーム５６が回動可能領域を超えて回動することがない範囲で任意に定めることができる。但し、肉盛部６０が厚くなるに従って光ディスク装置５０全体も大型化することになるため、できる限り薄くすることが望ましく、０．２ｍｍ〜０．５ｍｍ肉盛りすることが望ましい。また、肉盛部６０の形状も特に限定されるものではない。
【００４７】
本実施形態において肉盛部６０を切欠部５５ａの角部５５ｂに形成することとしたが、光ディスクＤｓをディスク読取位置に移動させたときにロックアーム５６のシャフト５６ｃが接触する位置に形成するものであれば特にこれに限られない。例えば切欠部５５ａの内周面に形成することとしてもよい。
【００４８】
また、本実施形態において肉盛部６０はロックアーム５６の回動可能領域を確保するために外側に向かって肉盛して（突出して）形成されているが、回動可能領域を確保できるものであれば切欠部５５ａの内側に向かって肉盛りして（突出して）形成されるようにしてもよい。
【産業上の利用可能性】
【００４９】
本発明は、ロックアームとディスクガイド部材を備えた光ディスク装置に利用できる。
【符号の説明】
【００５０】
５０  光ディスク装置
５５  ディスクガイド部材
５６  ロックアーム
５６ｂ，５６ｃ  シャフト
５７  回動アーム
６０  肉盛部
【図１】
2012234588.tif 000003
【図２】
2012234588.tif 000004
【図３】
2012234588.tif 000005